(57)【特許請求の範囲】
【請求項１】
ケースと、
前記ケースの内側に配置される文字板と、
前記文字板の裏面側に配置される太陽電池と、
前記太陽電池の裏面側に配置される地板と、
前記ケースの一方の開口を塞ぐカバー部材と、
前記ケースの前記カバー部材とは反対側の開口を塞ぐ裏蓋と、を備え、
平面視で少なくとも一部が前記ケースと前記地板との間に配置され、前記地板を支持する支持部材と、を備え、
前記支持部材は、
前記カバー部材側の上面と、前記裏蓋側の底面と、前記上面と段差を介して前記裏蓋側に位置する所定の面と、
前記所定の面から前記カバー部材側に突出し、前記太陽電池を固定するフック部とを備える、
ことを特徴とする電子時計。
【請求項２】
地板と、
前記地板を支持する支持部材と、
太陽電池と、を備え、
前記支持部材には、前記太陽電池を固定するフック部が形成されている、
電子時計であって、
前記支持部材には、第１および第２の前記フック部が形成され、
前記地板には、前記太陽電池を案内する第１および第２の案内部が形成され、
前記支持部材の平面視における中心位置に対して、前記第１のフック部の位置から前記第１の案内部の位置までの角度は、右回りで９０度以上であり、
前記支持部材の中心位置に対して、前記第１のフック部の位置から前記第２の案内部の位置までの角度は、左回りで９０度以上であり、
前記第２のフック部は、前記第１の案内部と前記中心位置とを結び、さらに前記第２の案内部と前記中心位置とを結ぶ線を挟んで、前記第１のフック部の位置の反対側の位置に配置されている、
ことを特徴とする電子時計。
【請求項３】
前記フック部の下端部は前記支持部材の上面よりも底面側の位置に形成されている、  ことを特徴とする請求項２に記載の電子時計。
【請求項４】
ケースと、
前記ケースの内側に配置される文字板と、
前記文字板の裏面側に配置される太陽電池と、
前記太陽電池の裏面側に配置される地板と、
平面視で少なくとも一部が前記ケースと前記地板との間に配置され、前記地板を支持する支持部材と、を備え、
前記支持部材には、前記太陽電池を固定するフック部が形成されている、
電子時計であって、
前記支持部材には、第１および第２の前記フック部が形成され、
前記地板には、前記太陽電池を案内する第１および第２の案内部が形成され、
前記支持部材の平面視における中心位置に対して、前記第１のフック部の位置から前記第１の案内部の位置までの角度は、右回りで９０度以上であり、
前記支持部材の中心位置に対して、前記第１のフック部の位置から前記第２の案内部の位置までの角度は、左回りで９０度以上であり、
前記第２のフック部は、前記第１の案内部と前記中心位置とを結び、さらに前記第２の案内部と前記中心位置とを結ぶ線を挟んで、前記第１のフック部の位置の反対側の位置に配置されている、
ことを特徴とする電子時計。
【請求項５】
前記ケースの一方の開口を塞ぐカバー部材と、
前記ケースの前記カバー部材とは反対側の開口を塞ぐ裏蓋と、を備え、
前記フック部の前記裏蓋側の端部は前記支持部材の前記カバー部材側の面よりも前記裏蓋側の位置に形成されている、
ことを特徴とする請求項４に記載の電子時計。
【請求項６】
前記太陽電池と係合する前記フック部の先端部には、前記太陽電池の表面となす角度が鈍角となる傾斜面が形成されている、
ことを特徴とする請求項１乃至請求項５のいずれか１項に記載の電子時計。
【請求項７】
前記支持部材にはアンテナの固定部が形成されている、
ことを特徴とする請求項１乃至請求項６のいずれか１項に記載の電子時計。
【請求項８】
前記太陽電池と回路基板とを導通させる導通バネを備え、
前記太陽電池は、前記導通バネと接触する導通部を備え、
前記導通部は、前記フック部との係合部と連続する位置に設けられている、
ことを特徴とする請求項１乃至請求項７のいずれか１項に記載の電子時計。
【発明の詳細な説明】
【技術分野】
【０００１】
本発明は、太陽電池を備えた電子時計に関する。
【背景技術】
【０００２】
太陽電池により発電した発電エネルギーを二次電池に蓄電して駆動させる太陽電池付きの電子時計が提案されている。このような電子時計においては、例えば、太陽電池を固定するための専用の成型部材を作成し、成型部材により太陽電池の位置決め固定を行い、太陽電池を固定した成型部材を地板のフック係合部に係合させて取り付けを行う（例えば、特許文献１、特許文献２）。
【先行技術文献】
【特許文献】
【０００３】
【特許文献１】特開２００２−２２８５６号公報
【特許文献２】特開２００５−２２１４４７号公報
【発明の概要】
【発明が解決しようとする課題】
【０００４】
しかしながら、特許文献１及び特許文献２の方法では、太陽電池を固定するための専用の成型部材が必要なため、部品点数が増えてコストが上昇するという問題があった。
【０００５】
本発明は、上述した事情に鑑みてなされたものであり、部品点数を増加させることなく、太陽電池を固定することのできる電子時計を提供することを解決課題としている。
【課題を解決するための手段】
【０００６】
以上の課題を解決するため、本発明に係る電子時計は、地板と、前記地板を支持する支持部材と、太陽電池とを備え、前記支持部材には、前記太陽電池を固定するフック部が形成されていることを特徴とする。
【０００７】
本発明によれば、地板は支持部材に支持され、太陽電池は、支持部材に形成されたフック部により固定される。すなわち、支持部材は、太陽電池を固定する機能と、地板を支持する機能とを有し、複数の用途に使用されている。したがって、太陽電池を固定するための専用部材を使用することなく太陽電池を固定することができるので、部品点数を増加させることがない。なお、「太陽電池」は、太陽電池のセルが形成されたフィルムと案内板から構成される太陽電池と、これらが一体に構成された太陽電池とを含む。
【０００８】
上述した電子時計において、前記フック部の下端部は前記支持部材の上面よりも底面側の位置に形成されているようにしてもよい。この場合には、支持部材の底面側からのフック部の長さを確保してフック部に弾性力を持たせることができる。その結果、太陽電池をフック部に係合させる作業が容易となる。
【０００９】
上述した電子時計において、前記太陽電池と係合する前記フック部の先端部には、前記太陽電池の表面となす角度が鈍角となる傾斜面が形成されているようにしてもよい。この場合には、太陽電池をフック部と係合させる際に、太陽電池がフック部の先端部における傾斜面と摺動し、太陽電池をフック部に容易に係合させることができる。
【００１０】
上述した電子時計において、支持部材にはアンテナの固定部が形成されているようにしてもよい。この場合には、アンテナは支持部材の固定部により固定され、太陽電池は上述のように支持部材のフック部により固定される。したがって、太陽電池のアンテナに対する位置決めを確実に行うことができる。
【００１１】
上述した電子時計において、前記太陽電池と回路基板とを導通させる導通バネを備え、前記太陽電池は、前記導通バネと接触する導通部を備え、前記導通部は、前記フック部との係合部と連続する位置に設けられているようにしてもよい。この場合には、太陽電池の導通部の下面が導通バネと接触すると、導通部は導通バネにより下面から上面の方向に付勢力を受ける。しかしながら、導通部は、フック部との係合部と連続する位置に設けられているので、係合部がフック部と係合すると、導通部は前記付勢力に抗して上面から下面に向かう力を受けるので、導通部と導通バネとの良好な接触状態が維持されることになる。
【００１２】
上述した電子時計において、前記支持部材には、第１および第２の前記フック部が形成され、前記地板には、前記太陽電池を案内する第１および第２の案内部が形成され、前記支持部材の平面視における中心位置に対して、前記第１のフック部の位置から前記第１の案内部の位置までの角度は、右回りで９０度以上であり、前記支持部材の中心位置に対して、前記第１のフック部の位置から前記第２の案内部の位置までの角度は、左回りで９０度以上であり、前記第２のフック部は、前記第１の案内部と前記中心位置とを結び、さらに前記第２の案内部と前記中心位置とを結ぶ線を挟んで、前記第１のフック部の位置の反対側の位置に配置されているようにしてもよい。この場合には、第１のフック部と太陽電池とを係合させた後、太陽電池を第１の案内部に案内させるが、支持部材の中心位置に対する、第１のフック部の位置から第１の案内部の位置までの角度は、右回りで９０度以上であり、前記支持部材の中心位置に対して、前記第１のフック部の位置から前記第２の案内部の位置までの角度は、左回りで９０度以上に設定されている。したがって、第１のフック部と太陽電池とが係合した状態であっても、太陽電池を第１の案内部に容易に案内させることができる。さらに、第２のフック部は、第１の案内部と支持部材の中心位置とを結び、さらに第２の案内部と支持部材の中心位置とを結ぶ線を挟んで、第１のフック部の位置の反対側の位置に配置されている。したがって、太陽電池を第２の案内部に容易に案内させた後、太陽電池を第１のフック部と第２のフック部において確実に固定することができる。
【図面の簡単な説明】
【００１３】
【図１】本発明の実施形態に係る電子時計を含むＧＰＳの全体図である。
【図２】電子時計の外観を示す斜視図である。
【図３】電子時計の外観を示す６面図である。
【図４】電子時計の概略を示す部分断面図である。
【図５】電子時計の外観を示す概略平面図である。
【図６】電子時計の電気制御ブロック図である。
【図７】地板の外観を示す斜視図である。
【図８】地板受けリングの外観を示す斜視図である。
【図９】地板受けリングのパネルフック部の周辺を示す拡大斜視図である。
【図１０】地板受けリングのアンテナフック部の周辺を示す拡大斜視図である。
【図１１】地板に地板受けリングを嵌め合わせた状態を示す斜視図である。
【図１２】案内板の外観を示す斜視図である。
【図１３】ソーラーフィルムの外観を示す斜視図である。
【図１４】ソーラーフィルムに案内板を貼り付けたソーラーパネルの外観を示す斜視図である。
【図１５】地板受けリングのフック部によりソーラーパネルを固定した状態を示す斜視図である。
【図１６】地板受けリングのフック部とソーラーパネルの係合部周辺を示す拡大斜視図である。
【図１７】地板受けリングの案内部とソーラーパネルの案内用タブの周辺を示す拡大斜視図である。
【図１８】アンテナの外観を示す斜視図である。
【図１９】ソーラーパネルを固定した地板受けリングによりアンテナを固定した状態を示す斜視図である。
【図２０】地板受けリングのアンテナフック部とアンテナの係合部との周辺を示す拡大斜視図である。
【図２１】ソーラーパネルを固定した地板受けリングによりアンテナを固定した状態を示す平面図である。
【図２２】ソーラーパネル、回路基板、及び導通バネを示す斜視図である。
【図２３】図２１におけるＢ−Ｂ’線断面図である。
【図２４】変形例における地板受けリングのパネルフック部の周辺を示す拡大斜視図である。
【図２５】変形例における地板受けリングのパネルフック部の周辺を示す拡大斜視図である。
【発明を実施するための形態】
【００１４】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
＜Ａ：電子時計の概要＞
図１乃至図２３を参照しつつ本発明の一実施形態について説明する。図１は、本発明の一実施形態に係る電子時計を含むＧＰＳの全体図である。まず、電子時計が、外部信号としての電波を用いて、現在地の位置情報と、時刻情報とを求めるＧＰＳの概要を説明する。
【００１６】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００１７】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００１８】
ＧＰＳ衛星８は原子時計を搭載しており、衛星信号は原子時計で計時されたＧＰＳ時刻情報が含まれている。電子時計１０は、１つのＧＰＳ衛星８から送信された衛星信号を受信し、その中に含まれるＧＰＳ時刻情報を使用して得られた時刻（時刻情報）を内部時刻とする。
【００１９】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメータに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２０】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２１】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２２】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００２３】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００２４】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００２５】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ１１０が収納されている。
【００２６】
このアンテナ１１０は、リング形状の誘電体を基材として、これに金属のアンテナパターンをメッキや銀ペースト印刷などにより形成したものである。このアンテナ１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００２７】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００２８】
文字板１１と、地板１２５との間には、光発電を行うソーラーパネル（太陽電池）１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。ソーラーパネル１３５は、地板受けリング１２６に形成されたパネルフック部１２６ａによって固定され、上下方向の位置決めが行われている。詳しくは後述する。
文字板１１、ソーラーパネル１３５及び地板１２５には、指針軸２５と、第１小窓７０の指針７１、第２小窓８０の指針８１及び第３小窓９０の指針９１の指針軸（図示せず）とが貫通する孔が形成されているとともに、カレンダー小窓１５の開口部が形成されている。
【００２９】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００３０】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。また、この回路基板１２０とアンテナ１１０とは、図示しないアンテナ接続ピンを用いて接続されている。なお、回路基板１２０の下方には、回路押え１２３が設けられている。
【００３１】
アンテナ１１０は、給電点を通じて給電され、この給電点には、アンテナ１１０の裏面側に配置されたアンテナ接続ピンが接続されている。アンテナ接続ピンは金属で形成されたピン状のコネクターであり、回路基板１２０に突設されて、地板受けリング１２６に開口された挿通孔を貫通されて収納空間内へ挿通されている。このように、回路基板１２０と、収納空間内部のアンテナ１１０とが、アンテナ接続ピンで接続されている。
地板１２５は、プラスチックで形成されており、内部に駆動機構１４０及び二次電池１３０の取り付け部を有している。
地板受けリング１２６は、プラスチックで形成されており、後述するように地板１２５と係合して地板１２５の外周に取り付けられる部材である。地板受けリング１２６は、地板１２５の外周から外装ケース３０を構成するケース３１の内周の間であって、地板とほぼ同じ高さに設けられる。地板受けリング１２６の内周には、突起が形成されており、当該突起が地板１２５の外周に当たることにより、地板１２５の地板受けリング１２６に対する平面方向（図４に示す座標におけるｘｙ平面に平行な方向）の動きが規制される。地板受けリング１２６には、外周にも突起が形成されており、当該突起が外装ケース３０を構成するケース３１の内周壁に当たることにより、地板受けリング１２６のケース３１に対する前記平面方向の動きが規制される。地板受けリング１２６の底面には突状部が形成されており、当該突状部が裏蓋３４に当たることにより、地板受けリング１２６が断面方向（図４に示すｚ方向）に押し上げられる。その結果、地板受けリング１２６の上面端部１２６ｋが、ケース３１のフランジ部３１ａに当たり、地板受けリング１２６のケース３１に対する前記断面方向の動きが規制される。地板１２５は、前記断面方向においては前記ケース３１と接触していないが、地板受けリング１２６が前記断面方向に確実に固定されることにより、地板受けリング１２６と係合する地板１２５は、地板受けリング１２６により前記断面方向に支持されることになる。なお、地板受けリング１２６は、上述したよう前記平面方向においてもケース３１に当たるので、地板１２５を前記平面方向において支持していると言うこともできるが、後述するように地板１２５は直接ケース３１と接触し、前記平面方向における動きを規制されるようになっている。詳しくは後述する。
以上のようにケース３１に位置決めされる地板受け部材リング１２６には、ソーラーパネル１３５を固定するためのパネルフック部１２６ａが設けられ、パネルフック部１２６ａは表面側に突出している。パネルフック部１２６ａの詳細については後述する。
なお、地板受けリング１２６は、少なくとも前記断面方向において地板１２５を支持するようになっていればよく、上記の構造に限らない。
＜Ｂ：電子時計の表示機能＞
【００３２】
次に、電子時計１０の表示機能について説明する。図５は、電子時計の外観を示す概略平面図である。
図５に示すように、文字板１１の最外周には、外周を６分割から６０分割する目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００３３】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００３４】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示を含む小窓が設けられる位置に応じて、視認しやすい位置に設けることが好ましい。
【００３５】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００３６】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００３７】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図４参照）のパワーインジケーターであり、電池の残量に応じて、指針９１が基端、先端、中間のいずれかを指し示す。
【００３８】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００３９】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００４０】
カレンダー小窓１５は、文字板１１を矩形状に開口した開口部に設けられており、開口部から数字が視認可能となっている。この数字は、年月日の「日」を表す。
【００４１】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００４２】
上述したように、文字板１１には、６０分割された分及び秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している指針２２，２３，８１で表示されて内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００４３】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。現在この標準時を含め、全世界では４０種類のタイムゾーンが存在し、電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００４４】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。
【００４５】
＜Ｃ：電子時計の電気的構成＞
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とるす制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００４６】
受信部１２２は、アンテナ体１１０を備え、アンテナ体１１０を介して受信した衛星信号を処理してＧＰＳモ時刻情報や位置情報を取得する。アンテナ体１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００４７】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２、ＧＰＳ衛星８から送信される衛星信号を受信し、受信結果に基づいてＧＰＳ時刻情報と位置情報とを出力する受信部として機能する。
【００４８】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００４９】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５０】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００５１】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００５２】
ＣＰＵ１５３は、ＧＰＳ時刻情報と時刻補正パラメータとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００５３】
＜Ｄ：ソーラーパネルの固定＞
次に、電子時計１０においてソーラーパネル１３５を固定する構成について説明する。図７は地板１２５の外観を示す斜視図、図８は地板受けリング１２６の外観を示す斜視図である。図９は地板受けリング１２６のパネルフック部の周辺を示す拡大斜視図であり、図１０は地板受けリング１２６のアンテナフック部の周辺を示す拡大斜視図である。
【００５４】
図７に示すように、地板１２５には、第１案内用凸部１２５ａ及び第２案内用凸部１２５ｂの組が、第１位置Ｒ１、第２位置Ｒ２、第３位置Ｒ３、及び第４位置Ｒ４の４箇所に形成されている。第２案内用凸部１２５ｂは、第１位置Ｒ１、第２位置Ｒ２、及び第４位置Ｒ４においては、それぞれ２つずつ設けられ、第１案内用凸部１２５ａを中心として地板１２５の周方向の両側に、第１案内用凸部１２５ａと所定の間隔を有して配置されている。第３位置Ｒ３においては、１つの第２案内用凸部１２５ｂのみが、第１案内用凸部１２５ａを中心として地板１２５の周方向の一方の側に第１案内用凸部１２５ａと所定の間隔を有して配置されている。そして、第３位置Ｒ３では、ダイヤルリング４０の固定用ピン１２５ｃが設けられたフランジ部１２５ｄが、地板１２５の周方向に延びて形成されている。フランジ部１２５ｄの端部は、第１案内用凸部１２５ａを中心として地板１２５の周方向の第２案内用凸部１２５ｂが配置されていない他方の側において第１案内用凸部１２５ａと所定の間隔を有する位置に設けられている。したがって、前記フランジ部１２５ｄの端部は、第２案内用凸部１２５ｂと同様の機能を有している。第１位置Ｒ１と第３位置Ｒ３に設けられた固定用ピン１２５ｃは、ダイヤルリング４０の孔部と嵌め合わされ、ダイヤルリング４０を固定する。
また、回路基板１２０とソーラーパネル１３５とを導通させるための導通バネのための貫通孔１２５ｅが設けられている。これについては後述する。
【００５５】
図８に示すように、地板１２５の支持部材として機能する地板受けリング１２６は、ソーラーパネル１３５を固定するためのパネルフック部１２６ａと、アンテナ１１０を固定するためのアンテナフック部１２６ｂと、アンテナ１１０を固定するためのアンテナ用凸部１２６ｃとを備えている。
地板受けリング１２６を電子時計１０に配置したとき、カバーガラス３３側（ソーラーパネル１３５に近い側）に配置される面を上面、裏蓋３４側（ソーラーパネル１３５から遠い側）に配置される面を底面という。図９に示すように、パネルフック部１２６ａは、地板受けリング１２６の上面１２６ｄに直接設けるのではなく、底面１２６ｅ側に下がる段差１２６ａ−４を設け、その段差１２６ａ−４から設けられており、パネルフック部１２６ａの下端部１２６ａ−３は、上面１２６ｄよりも底面１２６ｅ側の位置に形成されている。これにより、上面１２６ｄに直接形成するのに対して、パネルフック部１２６ａを長くすることができるため、ソーラーパネル１３５を取り付ける際に必要な弾性力を増加させることができる。また、パネルフック部１２６ａの先端部１２６ａ−１には、傾斜面１２６ａ−２が形成されており、ソーラーパネル１３５が容易に取り付けられるように構成されている。詳しくは後述する。
図１０に示すように、アンテナフック部１２６ｂは、地板受けリング１２６の上面に設けられており、アンテナフック部１２６ｂの先端部１２６ｂ−１とアンテナ１１０の外周に設けられたフランジ部とが係合してアンテナ１１０を固定し、上下方向における位置決めを行う。詳しくは後述する。
【００５６】
図１１は、地板１２５に地板受けリング１２６を嵌め合わせた状態を示す展開斜視図である。図１１に示すように、地板１２５に地板受けリング１２６を嵌め合わせることにより、地板受けリング１２６のパネルフック部１２６ａは、第２位置Ｒ２及び第４位置Ｒ４において、地板１２５の周方向に第１案内用凸部１２５ａ及び第２案内用凸部１２５ｂと並ぶように配置される。第２位置Ｒ２及び第４位置Ｒ４においては、第１案内用凸部１２５ａがソーラーパネル１３５の仮案内部として機能し、地板受けリング１２６のパネルフック部１２６ａがソーラーパネル１３５の固定部として機能する。また、第１位置Ｒ１及び第３位置Ｒ３においては、第１案内用凸部１２５ａがソーラーパネル１３５の案内部として機能する。なお、仮案内部と案内部の詳細については後述する。
【００５７】
次に、図１２乃至図１４を参照しつつ、本実施形態におけるソーラーパネル１３５の構成を説明する。図１２は案内板１３５ａの外観を示す斜視図、図１３はソーラーフィルム１３５ｂの外観を示す斜視図、図１４はソーラーパネル１３５の外観を示す斜視図である。
案内板１３５ａは、金属やプラスチック等の材料で形成されており、図１２に示すように、第１案内用タブ１３５ａ−１と第２案内用タブ１３５ａ−２の組が、４箇所に形成されている。また、案内板１３５ａには、地板受けリング１２６のパネルフック部１２６ａとの係合部として機能する固定用タブ１３５ａ−３が２箇所に形成されている。
ソーラーフィルム１３５ｂは、図１３に示すように、８個のソーラーセル１３５ｃを備えた円板状のフィルムであり、案内板１３５ａの第１案内用タブ１３５ａ−１と第２案内用タブ１３５ａ−２に対応して、第１タブ１３５ｂ−１と第２タブ１３５ｂ−２の組が４箇所に形成されている。また、ソーラーフィルム１３５ｂには、導通部１３５ｄが１箇所（図１３において左側）に形成されている。
【００５８】
ソーラーパネル１３５は、図１４に示すように、上述したソーラーフィルム１３５ｂに案内板１３５ａを貼り合わせた構成となっている。図１４においては、案内板１３５ａを点線で示している。ソーラーフィルム１３５ｂの第１タブ１３５ｂ−１及び第２タブ１３５ｂ−２は、案内板１３５ａの第１案内用タブ１３５ａ−１及び第２案内用タブ１３５ａ−２に対応した位置に設けられているので、ソーラーフィルム１３５ｂに案内板１３５ａを貼り合わせると、互いに重なり合う。ソーラーフィルム１３５ｂの第１タブ１３５ｂ−１及び第２タブ１３５ｂ−２は、案内板１３５ａとソーラーフィルム１３５ｂとを貼り合わせる際の位置の目安となる。但し、ソーラーパネル１３５の案内に実質的に寄与する箇所は、第１タブ１３５ｂ−１及び第２タブ１３５ｂ−２ではなく、第１案内用タブ１３５ａ−１及び第２案内用タブ１３５ａ−２である。そのため、以下のソーラーパネル１３５を案内する場合の説明においては、第１タブ１３５ｂ−１及び第２タブ１３５ｂ−２の記載を省略し、「ソーラーパネル１３５の第１案内用タブ１３５ａ−１及び第２案内用タブ１３５ａ−２」、あるいは、単に「第１案内用タブ１３５ａ−１及び第２案内用タブ１３５ａ−２」とする。
なお、ソーラーフィルム１３５ｂを案内板１３５ａに正確に位置決めして貼り付けることができれば、ソーラーフィルム１３５ｂの第１タブ１３５ｂ−１及び第２タブ１３５ｂ−２は設けなくてもよい。
【００５９】
ソーラーパネル１３５を上面側から見ると、固定用タブ１３５ａ−３は、ソーラーフィルム１３５ｂに覆われずに露出する構成となっている。図１４の右側に示される時計の３時位置周辺では、固定用タブ１３５ａ−３に隣り合って、第１案内用タブ１３５ａ−１及び第２案内用タブ１３５ａ−２が配置される。図１４の左側に示される時計の９時位置周辺では、固定用タブ１３５ａ−３と、第１案内用タブ１３５ａ−１及び第２案内用タブ１３５ａ−２との間に、導通部１３５ｄが配置される。そして、図１４の上側に示される時計の１２時位置周辺と、図１４の下側に示される時計の６時位置周辺には、第１案内用タブ１３５ａ−１及び第２案内用タブ１３５ａ−２が配置される。
【００６０】
次に、ソーラーパネル１３５の位置決めについて、図１５乃至図１７を参照しつつ説明する。図１５は、図１１に示す地板１２５に取り付けた地板受けリング１２６にソーラーパネル１３５を取り付けた状態を示す斜視図、図１６はソーラーパネル１３５の仮案内部及び固定部の周辺を示す一部拡大斜視図、図１７はソーラーパネル１３５の案内部の周辺を示す一部拡大斜視図である。
地板受けリング１２６にソーラーパネル１３５を取り付ける際には、まず、第２位置Ｒ２において、ソーラーパネル１３５の第１案内用タブ１３５ａ−１と第２案内用タブ１３５ａ−２とにより、仮案内部として機能する地板１２５の第１案内用凸部１２５ａを挟むように、地板１２５にソーラーパネル１３５を取り付ける。また、パネルフック部１２６ａとの係合部として機能するソーラーパネル１３５の固定用タブ１３５ａ−３の端縁を、地板受けリング１２６におけるパネルフック部１２６ａの先端部１２６ａ−１の下方に入れ込む。
第１案内用タブ１３５ａ−１及び第２案内用タブ１３５ａ−２と第１案内用凸部１２５ａとの間には、所定の隙間ができるように設計されている。したがって、ソーラーパネル１３５は、仮案内部としての第１案内用凸部１２５ａにより、ある程度の自由度を持って第１位置Ｒ１における取り付け位置が仮決めされる。また、第１案内用タブ１３５ａ−１と第２案内用タブ１３５ａ−２は、いずれも地板１２５の第２案内用凸部１２５ｂにより周方向への回転が規制される。さらに、パネルフック部１２６ａにより、ソーラーパネル１３５の上方向への移動が規制される。
【００６１】
次に、図１５及び図１７に示すように、第１位置Ｒ１において、ソーラーパネル１３５の第１案内用タブ１３５ａ−１と第２案内用タブ１３５ａ−２とにより、案内部として機能する地板１２５の第１案内用凸部１２５ａを挟むように、地板１２５にソーラーパネル１３５を取り付ける。第１案内用タブ１３５ａ−１及び第２案内用タブ１３５ａ−２と第１案内用凸部１２５ａとの間にも若干の隙間ができるが、この隙間は、第１位置Ｒ１における第１案内用タブ１３５ａ−１及び第２案内用タブ１３５ａ−２と仮案内部としての第１案内用凸部１２５ａとの間の前記隙間よりは小さくなるように設計されている。したがって、ソーラーパネル１３５は、案内部としての第１案内用凸部１２５ａにより、第１位置Ｒ１における取り付け位置が確実に定められることになる。但し、上述したように、第２位置Ｒ２においては、第１案内用タブ１３５ａ−１及び第２案内用タブ１３５ａ−２はある程度の自由度を持って仮りに位置決めされているため、第１位置Ｒ１におけるソーラーパネル１３５の取り付けは容易になっている。また、第１案内用タブ１３５ａ−１と第２案内用タブ１３５ａ−２は、いずれも地板１２５の第２案内用凸部１２５ｂにより周方向への回転が規制される。
第３位置Ｒ３においても同様に、ソーラーパネル１３５の第１案内用タブ１３５ａ−１と第２案内用タブ１３５ａ−２とにより、案内部として機能する地板１２５の第１案内用凸部１２５ａを挟むように、地板１２５にソーラーパネル１３５を取り付ける。第１案内用タブ１３５ａ−１及び第２案内用タブ１３５ａ−２と第１案内用凸部１２５ａとの間にも若干の隙間ができるが、この隙間は、第１位置Ｒ１における第１案内用タブ１３５ａ−１及び第２案内用タブ１３５ａ−２と仮案内部としての第１案内用凸部１２５ａとの間の前記隙間よりは小さくなるように設計されている。したがって、ソーラーパネル１３５は、案内部としての第１案内用凸部１２５ａにより、第３位置Ｒ３における取り付け位置が確実に定められることになる。但し、上述したように、第１位置Ｒ１においては、第１案内用タブ１３５ａ−１及び第２案内用タブ１３５ａ−２はある程度の自由度を持って仮りに位置決めされているため、第３位置Ｒ３におけるソーラーパネル１３５の取り付けは容易になっている。また、第１案内用タブ１３５ａ−１と第２案内用タブ１３５ａ−２は、いずれも地板１２５の第２案内用凸部１２５ｂにより周方向への回転が規制される。
【００６２】
最後に、第４位置Ｒ４において、ソーラーパネル１３５の第１案内用タブ１３５ａ−１と第２案内用タブ１３５ａ−２とにより、仮案内部として機能する地板１２５の第１案内用凸部１２５ａを挟むように、地板１２５にソーラーパネル１３５を取り付ける。また、ソーラーパネル１３５の固定用タブ１３５ａ−３の端縁は、地板受けリング１２６におけるパネルフック部１２６ａの先端部１２６ａ−１と接触することになる。図１６に示すようにパネルフック部１２６ａの先端部１２６ａ−１には傾斜面１２６ａ−２が形成されており、かつ、パネルフック部１２６ａ自体が弾性を有しているため、固定用タブ１３５ａ−３を容易に下方向に押下することができる。傾斜面１２６ａ−２は、ソーラーパネル１３５の表面とのなす角度が鈍角となるように設定されている。したがって、固定用タブ１３５ａ−３の端縁がパネルフック部１２６ａの先端部１２６ａ−１の傾斜面１２６ａ−２と摺動しながら下方へと移動し、傾斜面１２６ａ−２と摺動が終わると、図１６に示すように固定用タブ１３５ａ−３がパネルフック部１２６ａの先端部１２６ａ−１の下方に入り込むことになる。
第１案内用タブ１３５ａ−１及び第２案内用タブ１３５ａ−２と第１案内用凸部１２５ａとの間には、第２位置Ｒ２と同様に、第１位置Ｒ１及び第３位置Ｒ３よりも大きな隙間ができるように設計されている。したがって、ソーラーパネル１３５は、仮案内部としての第１案内用凸部１２５ａにより、ある程度の自由度を持って第４位置Ｒ４における取り付け位置が仮決めされる。第４位置Ｒ４におけるソーラーパネル１３５の位置決めは、このようにある程度の自由度を持って行われるため、最後に固定用タブ１３５ａ−３をパネルフック部１２６ａの先端部１２６ａ−１の下方に入り込ませる作業が容易となる。
また、ソーラーパネル１３５がパネルフック部１２６ａにより固定され、上下方向における位置決めが行われことになる。このようにして、ソーラーパネル１３５全体の固定と位置決めが完了する。
上記の例では、地板受けリング１２６にソーラーパネル１３５を取り付ける際に、最初に第２位置、次に第１および第３位置、最後に第４位置の順で取り付ける例を示したが、この順番でなくてもよい。例えば、最初に地板受けリング１２６にソーラーパネル１３５を、周方向の位置関係がほぼ正確になるように載置した後、上方から全体を押し込むことにより取り付けしてもよい。
【００６３】
図１５に示すようにソーラーパネル１３５の地板１２５及び地板受けリング１２６への取り付けが完了した後は、アンテナ１１０の取り付けを行う。図１８は、アンテナ１１０の斜視図である。図１８に示すように、本実施形態のアンテナ１１０はリング状に形成され、アンテナ１１０の内周には、第１位置Ｐ１、第２位置Ｐ２、第３位置Ｐ３、及び第４位置Ｐ４の４箇所の位置に、切欠き部１１１が備えられている。これらの第１位置Ｐ１、第２位置Ｐ２、第３位置Ｐ３、及び第４位置Ｐ４は、図１５に示す地板１２５及び地板受けリング１２６の第１位置Ｒ１、第２位置Ｒ２、第３位置Ｒ３、及び第４位置Ｒ４に対応している。したがって、アンテナ１１０を図１９に示すように地板１２５及び地板受けリング１２６に取り付けると、地板１２５の第１案内用凸部１２５ａ、第２案内用凸部１２５ｂ、フランジ部１２５ｄ、及び地板受けリング１２６のパネルフック部１２６ａ、並びに、ソーラーパネル１３５の第１案内用タブ１３５ａ−１、第１案内用タブ１３５ａ−２、及び固定用タブ１３５ａ−３が、切欠き部１１１に収容される。
【００６４】
図１８に示すように、アンテナ１１０の外周には、切欠き部１１０ａが３箇所に形成されており、切欠き部１１０ａにはフランジ部１１０ｂが設けられている。アンテナ１１０を地板受けリング１２６に取り付けることにより、図１９及び図２０に示すうに、フランジ部１１０ｂと、地板受けリング１２６のアンテナフック部１２６ｂの先端部１２６ｂ−１とが係合することにより、アンテナ１１０が固定され、上下方向への位置決めが行われることになる。このように、地板受けリング１２６のアンテナフック部１２６ｂは、アンテナ１１０の固定部として機能する。
アンテナ１１０の底部には、図１８に示すように固定用凹部１１０ｃが複数個所に設けられている。アンテナ１１０を地板受けリング１２６に取り付けることにより、図１９及び図２０に示すように、地板受けリング１２６のアンテナ用凸部１２６ｃと、アンテナ１１０の固定用凹部１１０ｃとが係合し、アンテナ１１０の周方向における位置決めが行われる。
このように、地板受けリング１２６によってアンテナ１１０の位置決めが行われると共に、地板受けリング１２６によってソーラーパネル１３５の位置決めが行われるので、ソーラーパネル１３５のアンテナ１１０に対する位置決めが確実に行われ、ばらつきを生じることがない。
【００６５】
図２１は、アンテナ１１０を地板受けリング１２６に取り付けた状態を示す平面図である。図２２は、ソーラーパネル１３５、回路基板１２０、及び導通バネ２００ａ，２００ｂを示す斜視図である。図２３は図２１におけるＢ−Ｂ’線断面図である。図２１及び図２２に示すように、ソーラーパネル１３５の導通部１３５ｄには、回路基板１２０とソーラーパネル１３５とを導通させるための導通バネ２００ａ，２００ｂが接触している。図２３に示すように、導通バネ２００ａ，２００ｂは、地板１２５に形成された貫通孔１２５ｅに配置され、回路基板１２０とソーラーパネル１３５とに接触するように配置される。
第４位置Ｒ４のソーラーパネル１３５の導通部１３５ｄは、図２１に示すように、地板受けリング１２６のパネルフック部１２６ａとの係合部として機能するソーラーパネル１３５の固定用タブ１３５ａ−３と連続する位置に設けられている。
ソーラーパネル１３５の導通部１３５ｄの下面が導通バネ２００ａ，２００ｂと接触すると、導通部１３５ｄは導通バネ２００ａ，２００ｂにより下面から上面の方向に付勢力を受ける。しかしながら、導通部１３５ｄは、パネルフック部１２６ａとの係合部である固定用タブ１３５ａ−３と連続する位置に設けられているので、固定用タブ１３５ａ−３がパネルフック部１２６ａと係合すると、導通部１３５ｄは前記付勢力に抗して上面から下面に向かう力を受ける。その結果、導通部１３５ｄと導通バネ２００ａ，２００ｂとの良好な接触状態が維持されることになる。
【００６６】
第３位置Ｒ３において第１案内用タブ１３５ａ−１及び第２案内用タブ１３５ａ−２仮案内部として機能する第１案内用凸部１２５ａの周方向の中心位置は、第２位置Ｒ２において固定用タブ１３５ａ−３と係合するパネルフック部１２６ａの周方向の中心位置から見て、ソーラーパネル１３５及び地板受けリング１２６の中心Ａ周り（右回り）の角度θ１が９０度以上に設定されている。
同様に、第１位置Ｒ１において第１案内用タブ１３５ａ−１及び第２案内用タブ１３５ａ−２の案内部として機能する第１案内用凸部１２５ａの周方向の中心位置は、第２位置Ｒ２において固定用タブ１３５ａ−３と係合するアンテナフック部１２６ａの周方向の中心位置から見て、前記中心Ａ周り（左回り）の角度θ２も９０度以上に設定されている。
したがって、第２位置Ｒ２において第１案内用タブ１３５ａ−１及び第２案内用タブ１３５ａ−２を第１案内用凸部１２５ａに係合（仮案内）させた後に、第１位置Ｒ１及び第３位置Ｒ３において第１案内用タブ１３５ａ−１及び第２案内用タブ１３５ａ−２を第１案内用凸部１２５ａに係合させるため、各案内部において容易に係合させることができる。
また、第４位置Ｒ４において固定用タブ１３５ａ−３と係合するパネルフック部１２６ａは、第３位置の案内部における周方向の中心位置と前記中心Ａを結び、さらに当該中心Ａと第１位置の案内部における周方向の中心位置とを結ぶ線を挟んで、第２位置Ｒ２において固定用タブ１３５ａ−３と係合するパネルフック部１２６ａと反対側の位置に設けられている。したがって、ソーラーパネル１３５を確実に固定することができる。
また、この場合、第４位置Ｒ４におけるパネルフック部１２６ａは、案内部として機能する第１位置Ｒ１または第３位置Ｒ３の第１案内用凸部１２５ａの少なくとも一方から見て、前記中心Ａ周りの角度が９０度以下になる。このため、第４位置におけるソーラーパネル１３５の固定用タブ１３５ａ−３を地板受けリング１２６におけるパネルフック部１２６ａとの位置ずれが少なくなり、容易に係合させることができる。
【００６７】
地板１２５及び地板受けリング１２６の外装ケース３０を構成するケース３１に対する位置決めとソーラーパネル１３５との関係について説明する。
地板１２５には、図７に示すように庇１２５ｆが６箇所に設けられており、地板受けリング１２６には、図８に示すように庇１２５ｆに対応する位置に地板受け部１２６ｆが設けられている。庇１２５ｆを地板受け部１２６ｆに嵌め合わせることより、図１１に示すように地板１２５と地板受けリング１２６とが係合する。
図７及び図１１に示すように、地板１２５の庇１２５ｆの先端部には、地板１２５の半径方向（図７及び図１１に示す座標におけるｘｙ平面に平行な方向であって、地板１２５の中心から遠ざかる方向）に突出した円弧状の突起１２５ｋが形成されている。
円弧状の突起１２５ｋの前記半径方向の長さは、図４に示すように、地板１２５及び地板受けリング１２６を、外装ケース３０を構成するケース３１に組み込んだ際に、ケース３１の内周壁に突起１２５ｋが当たる長さに設定されている。したがって、地板１２５は、ケース３１と直接に接触しており、平面方向（図４及び図１１に示す座標におけるｘｙ平面に平行な方向）における動きが規制されることになる。
地板１２５とケース３１が直接接触することにより、地板受けリング１２６を介して前記平面方向の動きが規制される場合に比べて、地板受けリング１２６分の公差がなくなるため、ケース３１に対して地板１２５を前記平面方向に正確に位置決めすることができる。
その結果、地板１２５によって案内されるソーラーパネル１３５も前記平面方向に正確に位置決めすることができる。ソーラーパネル１３５は、カバーガラス３３及び文字板１１を介して、太陽光を受光可能な位置に配置されるが、文字板１１上には、指針用の開口や、日窓用の開口等が存在するため、ソーラーパネル１３５を前記平面方向に正確に位置決めすることは、ソーラーパネル１３５を良好に機能させるために極めて重要である。
【００６８】
図８に示すように、地板受けリング１２６の底面には、図８に示す座標のｚ方向に突出した突状部１２６ｍが４箇所に形成されている。突状部１２６ｍのｚ方向の長さは、図４に示すように、地板１２５及び地板受けリング１２６を、外装ケース３０を構成するケース３１に組み込んだ際に、突状部１２６ｍが裏蓋３４の内側の表面に接触する長さに設定されている。突状部１２６ｍが裏蓋３４に当たることにより、地板受けリング１２６が断面方向（図４に示すｚ方向）に押し上げられる。その結果、地板受けリング１２６の上面端部１２６ｋが、ケース３１のフランジ部３１ａに当たり、地板受けリング１２６のケース３１に対する前記断面方向の動きが規制される
したがって、上述したように地板受けリング１２６のパネルフック部１２６ａにより地板受けリング１２６の軸方向に位置決めされているソーラーパネル１３５は、ケース３１に対しても前記断面方向に正確に位置決めされることになる。
【００６９】
以上のように、本発明によれば、地板受けリング１２６にソーラーパネル１３５の固定用のパネルフック部１２６ａを設けたので、部品点数を増加させることなく、ソーラーパネル１３５を固定することができる。また、地板１２５及び地板受けリング１２６をケース３１に直接接触させるようにしたので、ソーラーパネル１３５をケース３１に対して前記平面方向及び前記断面方向に正確に位置決めすることができる。
【００７０】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００７１】
（変形例１）
上述した実施形態においては、地板受けリング１２６のパネルフック部１２６ａの一例として、図９に示す態様のパネルフック部１２６ａについて説明した。しかしながら、本発明のパネルフック部１２６ａは、この例に限定されるものではなく、例えば、図２４及び図２５に示す変形例のように適宜変更可能である。
図２４及び図２５に示すパネルフック部１２６ａは、図９に示すパネルフック部１２６ａと同様に、地板受けリング１２６の上面１２６ｄに直接設けるのではなく、底面１２６ｅ側に下がる段差１２６ａ−４を設け、その段差１２６ａ−４から設けられている。
しかし、図２４及び図２５に示すパネルフック部１２６ａの下端部１２６ａ−３は、図９に示す下端部１２６ａ−３よりも、さらに底面１２６ｅ側に近い位置に形成されており、図２４及び図２５に示すパネルフック部１２６ａは、図９に示すパネルフック部１２６ａよりも長くなっている。その結果、図９に示すパネルフック部１２６ａに比べて、より高い弾性力を得ることができる。
また、図２４及び図２５に示す段差１２６ａ−４と地板受けリング１２６との間には、空間部１２６ａ−５が形成されている。したがって、図２４及び図２５に示す段差１２６ａ−４は、図９に示す段差１２６ａ−４に比べて薄くなり、段差１２６ａ−４自体が変形可能になっている。その結果、段差１２６ａ−４自体の弾性力を利用することができ、パネルフック部１２６ａの全体としての弾性力を、より一層高めることができる。このようにすれば、パネルフック部１２６ａの長さを所望の長さに確保できない場合でも、段差１２６ａ−４自体の弾性力利用することによって、パネルフック部１２６ａを長くした場合と同様の効果を得ることができる。
【００７２】
（変形例２）
上述した実施形態においては、全てのパネルフック部１２６ａの先端部１２６ａ−１に、傾斜面１２６ａ−２を設けた例について説明した。しかしながら、本発明においては、全てのパネルフック部１２６ａに傾斜面１２６ａ−２を設ける必要はない。例えば、上述した第２位置Ｒ２における取り付け例のように、ソーラーパネル１３５の固定用タブ１３５ａ−３の端縁をパネルフック部１２６ａの先端部１２６ａ−１の下方に入れ込む場合には、傾斜面１２６ａ−２は不要である。すなわち、本発明においては、少なくとも一つの先端部１２６ａ−１に傾斜面１２６ａ−２が設けられていればよい。
【００７３】
（変形例３）
上述した実施形態においては、ソーラーフィルム１３５ｂに案内板１３５ａを貼り付けたソーラーパネル１３５を用いた例について説明したが、本発明はこのような構成に限定されるものではなく、一体に形成されたソーラーパネルを用いてもよい。
【００７４】
（変形例４）
上述した実施形態においては、案内部を二箇所に設け、固定部を二箇所に設けたが、案内部及び固定部の数については適宜変更可能である。例えば、上述した実施形態において仮案内部とした箇所を案内部として機能させるようにしてもよい。
【００７５】
（変形例５）
上述した実施形態及び各変形例においては、本発明をアナログ式の電子時計に適用したが、本発明は、ソーラーパネルを用いる各種の時計、すなわち、デジタル式の電子時計、クオーツウォッチ、置き時計、あるいは、掛け時計等に適用可能である。
【符号の説明】
【００７６】
１０…電子時計、１１…文字板、４０…ダイヤルリング、４０ａ…孔部、１１０…アンテナ、１１１…切欠き部、１２５…地板、１２５ａ…第１案内用凸部、１２５ｂ…第２案内用凸部、１２５ｄ…フランジ部、１２６…地板受けリング、１２６ａ…パネルフック部、１２６ａ−１…先端部、１２６ａ−２…傾斜面、１２６ｂ…アンテナフック部、１２６ｃ…アンテナ用凸部、１３５…ソーラーパネル、１３５ａ…案内板、１３５ａ−１…第１案内用タブ、１３５ａ−２…第２案内用タブ、１３５ａ−３…固定用タブ、１３５ｂ…ソーラーフィルム、１３５ｂ−１…第１タブ、１３５ｂ−２…第２タブ、１３５ｃ…ソーラーセル、１３５ｄ…導通部。
【図１】
0006476625.tif 000002
【図２】
0006476625.tif 000003
【図３】
0006476625.tif 000004
【図４】
0006476625.tif 000005
【図５】
0006476625.tif 000006
【図６】
0006476625.tif 000007
【図７】
0006476625.tif 000008
【図８】
0006476625.tif 000009
【図９】
0006476625.tif 000010
【図１０】
0006476625.tif 000011
【図１１】
0006476625.tif 000012
【図１２】
0006476625.tif 000013
【図１３】
0006476625.tif 000014
【図１４】
0006476625.tif 000015
【図１５】
0006476625.tif 000016
【図１６】
0006476625.tif 000017
【図１７】
0006476625.tif 000018
【図１８】
0006476625.tif 000019
【図１９】
0006476625.tif 000020
【図２０】
0006476625.tif 000021
【図２１】
0006476625.tif 000022
【図２２】
0006476625.tif 000023
【図２３】
0006476625.tif 000024
【図２４】
0006476625.tif 000025
【図２５】
0006476625.tif 000026